(57)【要約】【課題】電子透かしを用いた複製制御において、アプリケーションごとに制御仕様がことなり、同一の処理だと、制御仕様によっては余分な処理が含まれて効率が悪くなる場合があるという問題点がある。【解決手段】複数種類のコピー制御の仕方を示すコピー制御情報を利用してコピー制御を行う記録装置であって、コピー制御情報を示す電子透かしを重畳したコンテンツからコピー制御情報のうちの所定の一部のコピー制御情報を検出する電子透かし検出手段１０３と、電子透かし検出手段の検出結果に応じてコンテンツを記録する記録手段１０４とを備える。【選択図】図１
2005166185.tif 000002
【特許請求の範囲】
【請求項１】
複数種類のコピー制御の仕方を示すコピー制御情報を利用して再生制御を行う再生装置であって、
著作権保護方式に従って記録された保護コンテンツを再生する場合には、前記保護コンテンツから前記コピー制御情報を検出せず、前記保護コンテンツ以外のコンテンツである保護コンテンツを再生する場合には、前記コピー制御情報を示す電子透かしを重畳した前記コンテンツから前記コピー制御情報のうちの所定の一部のコピー制御情報を検出する電子透かし検出手段と、
前記保護コンテンツを再生する場合には、前記コンテンツを再生し、前記非保護コンテンツを再生する場合には、前記電子透かし検出手段の検出結果に応じて前記コンテンツを再生する再生手段とを備えた再生装置。
【請求項２】
前記著作権保護方式はＳＤＭＩ方式であり、前記保護コンテンツはＳＤＭＩ保護コンテンツである請求項１記載の再生装置
【請求項３】
コンテンツに、
再生時に参照される第１の情報群を電子透かしとして埋め込む第１の電子透かし埋込ステップと、
記録時に参照される第２の情報群を電子透かしとして埋め込む第２の電子透かし埋込ステップとを備えたコンテンツ構成方法
【請求項４】
前記第１の情報群は、少なくとも、使用可否情報を含む請求項３記載のコンテンツ構成方法。
【請求項５】
前記第２の情報群は、少なくとも、使用可否情報、記録可否情報、記録世代情報、使用規則のうち一つを含むも請求項３記載のコンテンツ構成方法。
【請求項６】
再生時に参照される第１の情報群と、記録時に参照される第２の情報群とが電子透かしとして埋め込まれたコンテンツを入力し、
前記第１の電子透かしを検出するステップと、
前記第１の電子透かしから抽出した前記第１の情報群に応じて再生制御を行うステップとを備えた再生方法。
【請求項７】
再生時に参照される第１の情報群と、記録時に参照される第２の情報群とが電子透かしとして埋め込まれたコンテンツを入力し、
前記第２の電子透かしを検出するステップと、
前記第２の電子透かしから抽出した前記第２の情報群に応じて記録制御を行うステップとを備えた記録方法。
【請求項８】
再生時に参照される第１の情報群と、記録時に参照される第２の情報群とが電子透かしとして埋め込まれたコンテンツを入力し、
前記第１の電子透かしを検出する検出手段と、
前記第１の電子透かしから抽出した前記第１の情報群に応じて再生制御を行う再生制御手段とを備えた再生装置。
【請求項９】
再生時に参照される第１の情報群と、記録時に参照される第２の情報群とが電子透かしとして埋め込まれたコンテンツを入力し、
前記第２の電子透かしを検出する検出手段と、
前記第２の電子透かしから抽出した前記第２の情報群に応じて記録制御を行う記録制御手段とを備えた記録装置。
【発明の詳細な説明】
【技術分野】
【０００１】
本発明は、コンテンツに埋め込まれた電子透かしにしたがってコンテンツの記録制御、および再生制御を行う記録装置、再生装置、記録方法、再生方法、プログラム、及び記録媒体に関するものである。
【背景技術】
【０００２】
近年ＡＶ機器のディジタル化が進むに伴い、コンテンツの品質を劣化させることなく複製することが可能になった。しかし、著作権のあるコンテンツを無制限に複製することは著作権保持者の権利を侵害する恐れがある。ＡＶ機器としても適切な著作権保護機能を持つことが要望されている。
【０００３】
ディジタルオーディオ機器の複製制御としては、１９８０年代から、シリアルコピーマネジメントシステム（以下ＳＣＭＳと略称する）が広く使用されている。ＳＣＭＳは、ＣＤ、ＭＤや放送電波などのメディアにコンテンツとともに複製制御情報を記録しておき、同一筐体内、あるいは、異なる機器間をディジタルインターフェイスを介して接続してコンテンツを複製する場合に、被複製コンテンツの複製制御情報に従って複製の可否制御を行うものである。ＳＣＭＳはＭＤなどの民生用録音機器では一定の効果を上げている。
【０００４】
しかし、ＳＣＭＳでは複製制御情報をコンテンツと独立したディジタルデータとして持つ。このため、アナログ伝送の場合には複製制御情報が伝送できず、複製制御もできない。また、パーソナルコンピュータなどを用いると容易に複製制御情報を無効化できる。
【０００５】
このようなＳＣＭＳの問題点を踏まえて、ＤＶＤやＳＤ（Secure Digital）メモリカード用オーディオ規格（以下ＳＤオーディオと省略する）の著作権保護システムであるContent Protection for Prerecorded Media規格、及びContent Protection for Recordable Media規格（以下ＣＰＰＭ、ＣＰＲＭと省略する）では、電子透かしを利用した複製制御方式が採用されている。また、音楽業界、コンピュータ業界、民生エレクトロニクス業界などが参加して決めたＳＤＭＩ（Secure Digital Music Initiative）規格でも電子透かしを用いた複製制御・再生制御方式が提案されている。
【０００６】
電子透かしは、これを埋めこんだ信号を再生した場合でも、通常の視聴では原信号との違いが認識できず、コンテンツの品質を損なわない。電子透かしはコンテンツに直接埋め込まれるため、アナログ伝送でも複製制御情報が伝送できる。また、通常のオーディオ圧縮・伸張（ＭＰ３など）を経ても複製制御情報が保持されるという耐久力もある。さらに、特別な埋め込みと特別な解読装置とを用いないと読み書きできず、コンテンツ自体の暗号化と組み合わせることによりＳＣＭＳよりも強力な複製制御を実現できる。
【０００７】
従来から知られている電子透かし技術としては、非特許文献１に開示されている音楽音声用電子透かしがある。
【０００８】
標本領域で処理する電子透かしには、微弱な雑音を重畳するタイプとエコーを加えるタイプとがある。雑音重畳型では、埋め込み情報に対応した雑音を重畳する。検出時には、重畳された雑音を抽出し、これを分析することで埋め込み情報を取り出す。雑音重畳型の最も基本的な方法は、標本データの低位ビットを埋込情報のビットで置き換える方法であるが音響処理への耐性が低い。そこで、耐性を向上するために、多重化、マスキング効果を利用して、音楽の内の雑音が目立ちにくい部分で、雑音強度を大きくする方法、および、スペクトル拡散によって広帯域化された雑音を用いる方法などが提案されている。エコー付加型の方式では、埋込情報のビット値に応じた２種類のエコーを付加し、検出時にはエコーの種類を識別することで情報を取り出す。
【０００９】
周波数領域の電子透かしには、位相を変更するタイプと、振幅を変更するタイプがある。位相変更型では埋込情報の値に対応して位相を変更する。振幅変更型では、振幅を直接変更すると音質が劣化するので、スペクトル拡散を用いノイズ化して変更を加える。たとえば、音楽データをスペクトル拡散し、埋め込み情報に対応した振幅変更を特定周波数に加えた後、逆拡散を行う。逆拡散の結果、音楽データが復元されると共に、付加した変更はノイズ化される。スペクトル拡散の利用は、音響処理耐性を向上する点でも有効である。
【００１０】
ＣＰＰＭ、ＣＰＲＭ、ＳＤＭＩで用いられている電子透かし技術は、リニアＰＣＭ形式のディジタルオーディオデータに１２ビットの情報を電子透かしとして埋め込むことができる。このうち複製制御に用いられるのは２ビットで、「複製自由」、「一世代複製可」および「複製禁止」の３つの状態を示す。２ビットであるから４状態を示すことができるが、残りの１つは使用禁止となっている。
【００１１】
電子透かしは所定時間長（ＳＤＭＩ、ＣＰＲＭ、ＣＰＰＭの場合は１５秒）のリニアＰＣＭ形式のディジタルオーディオデータを所定の信号処理することで検出される。コンテンツがＭＰ３などに圧縮されている場合には、リニアＰＣＭにデコードした後、電子透かし検出を行う。アナログ信号もＡＤコンバータでリニアＰＣＭに変換すれば、電子透かしを検出できる。
【００１２】
電子透かし検出結果は、まず、電子透かしが検出された／されないの２つがある。さらに電子透かしが検出された場合には、「複製自由」、「一世代複製可」および「複製禁止」の３状態が識別される。
【００１３】
従来の電子透かしを利用した再生制御としては、たとえば、特許文献１記載の光ディスク再生装置がある。以下第１の従来技術として、この光ディスク再生装置について説明する。
【００１４】
以下の再生制御の説明では、電子透かしを用いてコンテンツに埋め込まれている複製制御情報をウォータマークＣＣＩと呼ぶ。これに対して、光ディスクにコンテンツと独立したディジタルデータとして記録されている複製制御情報をディジタルＣＣＩと呼ぶ。光ディスクでは、ディジタルＣＣＩ、ウォータマークＣＣＩは、図７に示す再生制御が要求されている。
【００１５】
図６は、従来の複製制御方法を使用した光ディスクプレーヤのブロック図である。光ディスクプレーヤ１７４は、ディスク１６０を回転させるスピンドルモータ１６１と、前記ディスク１６０に記録された信号を読み取る光ピックアップ１６２と、前記スピンドルモータ１６１と光ピックアップ１６２を駆動し制御する機構制御部１６３と、前記光ピックアップ１６２の出力からデータ打ち抜きや誤り訂正を行ってシステムストリームを抽出し、前記機構制御部１６３に制御信号を与える信号処理部１６４と、前記システムストリームが暗号化されているかどうか検査し、暗号化されている場合には暗号を復号する暗号復号装置１６５と、前記暗号復号装置１６５が出力する暗号化されていないシステムストリームから、ディジタルＣＣＩを検出するディジタルＣＣＩ復号装置１６６と、前記暗号復号装置１６５が出力する暗号化されていないシステムストリームからディジタルオーディオ信号あるいはディジタルビデオ信号を抽出してデコードするＡＶ復号装置１６７と、前記ＡＶ復号装置１６７出力のディジタルオーディオ信号あるいはディジタルビデオ信号からウォータマークＣＣＩデータを検出するウォータマークＣＣＩ復号装置１６９と、前記ディジタルオーディオ信号あるいはディジタルビデオ信号をアナログオーディオ信号あるいはアナログビデオ信号に変換するＤＡコンバータ１６８と、前記ディジタルオーディオ信号あるいはディジタルビデオ信号を規定の出力フォーマット（例えば、ＩＥＣ６０９５８，ＩＥＥＥ１３９４など）に変換して出力制御を行うディジタル信号出力制御部１７０と、前記ＤＡコンバータ１６８が出力するアナログオーディオ信号あるいはアナログビデオ信号の出力制御を行うアナログ信号出力制御部１７１と、動作状態を表示する表示部１７２と、前記ウォータマークＣＣＩデータと前記ディジタルＣＣＩデータを読み込んで前記ディジタル信号出力制御部１７０と前記アナログ信号出力制御部１７１を制御し、かつ表示部１７２、機構制御部１６３も制御するシステム制御部１７３とにより構成されている。
【００１６】
以上のように構成された光ディスクプレーヤ１７４のディジタル再生動作について説明する。ディスク１６０に記録された信号を光ピックアップ１６２で読み取る。信号処理部１６４は、前記機構制御部１６３に制御信号を与えながら、データ打ち抜きと誤り訂正を行ってシステムストリームを抽出する。暗号復号装置１６５は、前記システムストリームが暗号化されているかどうか検査し、暗号化されている場合には暗号を復号して、暗号化されていないシステムストリームをディジタルＣＣＩ復号装置１６６とＡＶ復号装置１６７に転送する。ＡＶ復号装置１６７は前記システムストリームからディジタルオーディオ信号あるいはディジタルビデオ信号を抽出してデコードし、ウォータマークＣＣＩ復号装置１６９とディジタル信号出力制御部１７０に転送する。ディジタル信号出力制御部１７０は、前記ディジタルオーディオ信号あるいはディジタルビデオ信号を規定の出力フォーマット（例えば、ＩＥＣ６０９５８，ＩＥＥＥ１３９４など）に変換して出力する。ディジタルＣＣＩ復号装置１６６は、前記システムストリームからディジタルＣＣＩデータをデコードしてシステム制御部１７３に転送する。ウォータマークＣＣＩ復号装置１６９は、前記ディジタルオーディオ信号あるいはディジタルビデオ信号からウォータマークＣＣＩデータを検出してシステム制御部１７３に転送する。システム制御部１７３は、前記ディジタルＣＣＩデータとウォータマークＣＣＩデータを読み込み、そのデータに従って前記ディジタル信号出力制御部１７０と機構制御部１６３を制御する。また、動作表示情報を表示部１７２に転送する。
【００１７】
以上のように構成された従来の光ディスクにおいて、再生時の複製制御フローの一例について、図８を用いて説明する。
【００１８】
まず、暗号復号装置１６５から得られる、システムストリームの暗号化の有無を検査する（ステップ１）。暗号化されている場合は、ディジタルＣＣＩデータの有無を検査する（ステップ２）。ディジタルＣＣＩデータがある場合には、前記ディジタルＣＣＩデータが「複製自由（Freely）」でないかどうかを検査する(ステップ３)。図７に示したとおり、暗号化されたオーディオあるいはビデオディジタルデータのディジタルＣＣＩは「一世代複製可」あるいは「複製禁止」だけが許されており、「複製自由」は許されていない。従って、ディジタルＣＣＩデータが「複製自由」である場合は、違法な複製ディスクと判断される。その結果、ディジタル信号出力制御部１７０とアナログ信号出力制御部１７１の両方を制御してディジタル信号出力とアナログ信号出力を共にミュートする（ステップ４）。一方、ステップ３でディジタルＣＣＩデータが「複製自由」でないと判断された場合は、通常再生を行う(ステップ８)。
【００１９】
また、ステップ１でシステムストリームが暗号化されていないと判断された場合と、暗号化されていてもステップ２でディジタルＣＣＩデータがないと判断された場合には、ウォータマークＣＣＩ復号装置１６９から得られるウォータマークＣＣＩの有無を読み出す（ステップ９）。次に、ウォータマークＣＣＩデータがある場合には、ウォータマークＣＣＩデータが「複製自由（Freely）」であるかどうかを検査する(ステップ１０)。図７に示したとおり、ウォータマークＣＣＩデータが「複製自由」の場合だけが通常再生可能であり(ステップ１２)、その他の「一世代複製可」および「複製禁止」の場合は、違法な複製ディスクと判断される。その結果、ディジタル信号出力制御部１７０とアナログ信号出力制御部１７１の両方を制御してディジタル信号出力とアナログ信号出力を共にミュートする (ステップ１１)。
【００２０】
そして、再生単位（音楽１曲など）の終端を判断し(ステップ５)、終端でなければステップ１に戻り、終端であれば、ディスク全体再生の終端であるかを判断する(ステップ６)。ディスク全体再生の終端でない場合は、ディジタル信号出力制御部１７０とアナログ信号出力制御部１７１とを通常出力状態に再設定してステップ１に戻る。一方、ディスク全体再生の終端である場合は、再生を終了する。
【００２１】
以上のように、第１の従来技術によって光ディスク再生時に著作権保護がなされている。
【００２２】
次に、第２の従来技術として、非特許文献２に記載のＳＤＭＩ方式の電子透かしを利用した記録制御について説明する。メモリースティックのオーディオ記録やＳＤオーディオは、このＳＤＭＩ記録制御方式に準拠している。
【００２３】
以下の説明では、例として、ＳＤオーディオにおける非特許文献２記載の記録制御方式について説明する。
【００２４】
ＳＤオーディオの記録は、記録対象がＳＤＭＩ保護コンテンツと非ＳＤＭＩ保護コンテンツの２つに大別される。ＳＤＭＩ保護コンテンツは、ＳＤＭＩ規格で認められた暗号などにより複製制御情報も含めて保護されている。したがってＳＤＭＩ保護コンテンツをＳＤオーディオ記録する場合には暗号化された複製制御情報にしたがう。一方、ＳＤＭＩ保護コンテンツ以外のコンテンツである非ＳＤＭＩ保護コンテンツの場合には、コンテンツに付属する複製制御情報があったとしても、改竄されている可能性もあるので、コンテンツに埋め込まれた電子透かしに含まれる複製制御情報を調べる必要がある。
【００２５】
また、ＳＤオーディオは、記録するコンテンツを圧縮暗号化し、ＳＤＭＩ保護コンテンツとする。さらにＳＤオーディオ機器の機器固有識別番号やメディア固有識別番号と関連づけてＳＤＭＩ保護コンテンツとしての複製数を制限している。さらに、ＳＤオーディオ機器から、前述の制限が及ばない一般のディジタルメディア（たとえば、ＭＤ、ＣＤ−Ｒなど）へのディジタル複製（孫複製）はできないよう、ディジタル出力は基本的に禁止されている。すなわち、ＳＤＭＩ保護コンテンツはＳＤオーディオ機器の範囲外では、複製禁止扱いとなる。したがって、ＳＤオーディオ記録する場合には、入力コンテンツの複製制御情報が複製禁止であるかどうかだけを判別すればよく、一世代複製可、複製自由の区別をする必要はない。
【００２６】
以下、非ＳＤＭＩコンテンツをＳＤオーディオ記録する場合について説明する。
【００２７】
図９は、第２の従来技術における電子透かしの検出タイミングを示す図である。電子透かしを検出するためには、１５秒のオーディオ信号を処理しなければならない。これを電子透かし検出窓と呼ぶことにする。
【００２８】
図１０は、第２の従来技術における電子透かしを利用した記録装置のブロック図である。図１０で８０１はコンテンツ入力端子であり、８０２はコンテンツから電子透かしを検出する電子透かし検出手段であり、８０３はコンテンツを記録する記録手段である。
【００２９】
記録手段８０３は、コンテンツを圧縮し、暗号記録する。また、電子透かし検出手段８０２から複製禁止を示す制御信号が送信されてきた場合、当該コンテンツを、それまでに記録した部分も含めて消去する。
【００３０】
図１１は、図１０の電子透かし検出手段８０２において、コンテンツの電子透かしに基づいて制御信号を送信するための手順を示すフローチャートである。以下、図１１にしたがって説明する。
【００３１】
まず、コンテンツ開始指示が受信されると、開始から１５秒以内に第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。ＳＤオーディオの記録では、入力コンテンツは圧縮され、さらに暗号化されて記録される。図１０には示されていないが、この圧縮暗号化処理は図１０の記録手段８０３において電子透かし検出処理と同時に行われている。
【００３２】
第１の電子透かし検出窓が終了すると、電子透かしが発見されたかどうか、すなわち、電子透かし検出フラグが“１”であるかどうか確認する（ステップ２）。
【００３３】
もし、（ステップ２）で電子透かし検出フラグが１である場合には、発見された電子透かしが複製禁止を示しているかどうか、すなわち電子透かしが“１１”であるかどうか確認する（ステップ３）。
【００３４】
もし、（ステップ３）で電子透かしが“１１”でなければ、そのコンテンツは複製してよい。したがって、この時点で電子透かし検出を終了し、複製許可の制御信号を記録手段８０３へ送信する。（ステップ８）。コンテンツの圧縮暗号化はそのまま継続する。
【００３５】
一方、もし、（ステップ３）で、電子透かしが複製禁止を示していれば、そのコンテンツは複製禁止であるから、複製禁止の制御信号を記録手段８０３へ送信する（ステップ９）。記録手段８０３は、圧縮、暗号化を停止し、それまでに圧縮暗号化したコンテンツを削除する。また、たとえば、記録装置がＣＤプレーヤと同一筐体内でＳＤオーディオ記録をしている場合には、ＣＤの再生を次のコンテンツに移すとか、生成停止するとかいうよう制御してもよい。また、外部からコンテンツが入力されている場合には、コンテンツの入力を停止することはできないので、そのまま待ち状態に入ってもよい。
【００３６】
一方、もし、（ステップ２）で電子透かしが検出されなかった場合には、４５秒以降の任意の位置まで待つ（ステップ４）。そして、第２の電子透かし検出を行う（ステップ５）。
【００３７】
第２の電子透かし検出窓が終了すると、電子透かしが発見されたかどうか、すなわち、電子透かし検出フラグが“１”であるかどうか確認する（ステップ６）。
【００３８】
もし、（ステップ６）で電子透かし検出フラグが１である場合には、発見された電子透かしが複製禁止を示しているかどうか、すなわち電子透かしが“１１”であるかどうか確認する（ステップ７）。
【００３９】
もし、（ステップ７）で電子透かしが“１１”でなければ、そのコンテンツは複製してよい。したがって、複製許可の制御信号を記録手段８０３へ送信する（ステップ８）。
【００４０】
一方、もし、（ステップ７）で、電子透かしが複製禁止を示していれば、そのコンテンツは複製禁止であるから、複製禁止の制御信号を記録手段８０３へ送信する（ステップ９）。
【００４１】
一方、もし、（ステップ６）で電子透かしが検出されなかった場合には、そのコンテンツには電子透かしが埋め込まれておらず、複製してよいものと考える。したがって、複製許可の制御信号を記録手段８０３へ送信する（ステップ８）。記録手段８０３はコンテンツの最後まで圧縮、暗号化を継続する。
【００４２】
以上のように、ＳＤオーディオにおいては非特許文献２記載の記録制御方式によって、著作権保護がなされている。
【特許文献１】特開２００１−２２９６１２号公報（第７−１３頁、図６，１２）
【非特許文献１】佐々木良一他著「インターネット時代の情報セキュリティ  暗号と電子透かし」共立出版株式会社，２０００年１０月１０日，ｐ１４８−１４９
【非特許文献２】「Amendment 3 to SDMI Port able Device Specification, Part I, Version 1.0 」，SECURE DIGITAL MUSIC INITIATIVE 発行，２００１年６月５日改訂版
【発明の開示】
【発明が解決しようとする課題】
【００４３】
しかしながら、上記従来の構成では、効率のよい電子透かしの検出を行うことが出来ないという問題点があった。たとえば、光ディスクの再生制御もＳＤオーディオの記録制御も同様の電子透かし検出を行うため、制御仕様によっては余分な処理が含まれて効率が悪くなる場合があるという問題点がある。
【００４４】
すなわち、従来のＳＤオーディオの記録制御では、ＳＤＭＩ保護コンテンツはＳＤオーディオ機器の範囲外では、複製禁止扱いとなる。従ってＳＤオーディオ記録する場合には、入力コンテンツの複製制御情報が複製禁止であるかどうかだけを判別すればよいが、それにも関わらず、入力コンテンツの複製制御情報が複製禁止、一世代のみ複製可、複製自由の全ての複製制御の仕方を検出していた。従って、ＳＤオーディオの記録制御では余分な処理が含まれて効率が悪くなる。
【００４５】
同様のことはＳＤオーディオの再生制御の場合にも言える。すなわち、非ＳＤＭＩ保護コンテンツを再生する場合には、複製制御情報が複製禁止の場合には再生しないようにし、複製制御情報が一世代のみ複製可、複製自由の場合には、再生を実施するように制御する。すなわち、入力コンテンツの複製制御情報が複製禁止かどうかだけを判別し、複製禁止の場合には、再生を停止し、複製禁止でない場合には再生を実施するように制御すればよい。しかしながら、それにも関わらず、複製制御情報が複製禁止、一世代のみ複製可、複製自由の全ての複製制御の仕方を検出していた。
【００４６】
つまり、従来の記録制御または再生制御では、複製制御情報の全ての制御の仕方を検出していたので、余分な処理が含まれて効率が悪くなるという課題がある。
【００４７】
本発明は、上記従来の課題を考慮し、効率のよい電子透かしの検出を行うことが出来る記録装置、再生装置、記録方法、再生方法、プログラム、及び記録媒体を提供することを目的とする。
【課題を解決するための手段】
【００４８】
上述した課題を解決するために、第１の本発明は、複数種類のコピー制御の仕方を示すコピー制御情報を利用して再生制御を行う再生装置であって、著作権保護方式に従って記録された保護コンテンツを再生する場合には、前記保護コンテンツから前記コピー制御情報を検出せず、前記保護コンテンツ以外のコンテンツである保護コンテンツを再生する場合には、前記コピー制御情報を示す電子透かしを重畳した前記コンテンツから前記コピー制御情報のうちの所定の一部のコピー制御情報を検出する電子透かし検出手段と、前記保護コンテンツを再生する場合には、前記コンテンツを再生し、前記非保護コンテンツを再生する場合には、前記電子透かし検出手段の検出結果に応じて前記コンテンツを再生する再生手段とを備えている。
【００４９】
また、第２の本発明は、前記著作権保護方式はＳＤＭＩ方式であり、前記保護コンテンツはＳＤＭＩ保護コンテンツであることを特徴とする。
【００５０】
また、第３の本発明は、コンテンツに、再生時に参照される第１の情報群を電子透かしとして埋め込む第１の電子透かし埋込ステップと、記録時に参照される第２の情報群を電子透かしとして埋め込む第２の電子透かし埋込ステップとを備えている。
【００５１】
また第４の本発明は、第１の情報群は、少なくとも使用可否情報を含んでいることを特徴とする。
【００５２】
また第５の本発明は、第２の情報群は、少なくとも使用可否情報、記録可否情報、記録世代情報、使用規則のうち一つを含むことを特徴とする。
【００５３】
また第６の本発明は、再生時に参照される第１の情報群と記録時に参照される第２の情報群とが電子透かしとして埋め込まれたコンテンツを入力し、前記第１の電子透かしを検出するステップと、前記第１の電子透かしから抽出した前記第１の情報群に応じて再生制御を行うステップとを備えている。
【００５４】
また第７の本発明は、再生時に参照される第１の情報群と記録時に参照される第２の情報群とが電子透かしとして埋め込まれたコンテンツを入力し、前記第２の電子透かしを検出するステップと、前記第２の電子透かしから抽出した前記第２の情報群に応じて記録制御を行うステップとを備えている。
【００５５】
また第８の本発明は、再生時に参照される第１の情報群と記録時に参照される第２の情報群とが電子透かしとして埋め込まれたコンテンツを入力し、前記第１の電子透かしを検出する検出手段と、前記第１の電子透かしから抽出した前記第１の情報群に応じて再生制御を行う再生制御手段とを備えている。
【００５６】
また第９の本発明は、再生時に参照される第１の情報群と記録時に参照される第２の情報群とが電子透かしとして埋め込まれたコンテンツを入力し、前記第２の電子透かしを検出する検出手段と、前記第２の電子透かしから抽出した前記第２の情報群に応じて記録制御を行う記録制御手段とを備えている。
【発明の効果】
【００５７】
本発明は効率のよい電子透かしの検出を行うことが出来る記録装置、再生装置、記録方法、再生方法、プログラム、及び記録媒体を提供することが出来る。
【発明を実施するための最良の形態】
【００５８】
以下に本発明の実施の形態を図面を参照して説明する。
【００５９】
（実施の形態１）
図１は本発明の実施の形態１における記録再生装置の構成を示すブロック図である。
【００６０】
図１で１０１は記録用のコンテンツを入力する記録コンテンツ入力端子であり、１０２はコンテンツ切り替え手段であり、１０３はコンテンツ切り替え手段１０２からの入力から電子透かしを検出する電子透かし検出手段であり、１０４は記録用のコンテンツを圧縮暗号化してＳＤメモリカード（図示せず）に記録する記録手段であり、１０５は、ＳＤメモリカード（図示せず）に記録されているコンテンツを復号伸張する再生手段であり、１０６は前記再生手段１０５の再生コンテンツを出力する再生コンテンツ出力端子である。コンテンツ切り替え手段１０２は記録コンテンツ入力端子１０１または再生手段１０５のどちらかのコンテンツを選択し、電子透かし検出手段１０３へ送る。また電子透かし検出手段１０３は記録手段１０４と再生手段１０５に制御信号を送信する。
【００６１】
まず、記録動作について説明する。記録時には、コンテンツ切り替え手段１０２は記録コンテンツ入力端子側のコンテンツを選択するよう制御されているものとする。
【００６２】
このように本実施の形態の記録再生装置は、従来の技術でも説明したように、本実施の形態の記録再生装置（ＳＤオーディオ機器）から、一般のディジタルメディア（たとえば、ＭＤ、ＣＤ−Ｒなど）へのディジタル複製はできないよう、ディジタル出力は基本的に禁止されている。すなわち、ＳＤＭＩ保護コンテンツはＳＤオーディオ機器の範囲外では、複製禁止扱いとなる。したがって、本実施の形態の記録再生装置は、ＳＤオーディオ記録する場合には、入力コンテンツの複製制御情報が複製禁止であるかどうかだけを判別し、一世代複製可、複製自由の区別は行わない。
【００６３】
図２は、図１の電子透かし検出手段１０３において、コンテンツの電子透かしに基づいて制御信号を送信するための手順を示すフローチャートである。以下、図２にしたがって説明する。
【００６４】
まず、コンテンツ開始指示があると、開始から１５秒以内に第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。電子透かし検出処理と同時に、記録手段１０４においてＳＤオーディオの圧縮暗号化処理が行われている。
【００６５】
第１の電子透かし検出窓が終了すると、電子透かしが複製禁止を示しているかどうかを確認する（ステップ２）。複製制御情報のうち複製禁止は、１１という２ビットの数値で表され、一世代のみ複製可は、１０という２ビットの数値で表され、複製自由は、００という２ビットの数値で表される。従って電子透かしのＬＳＢが“１”になるのは複製禁止の電子透かしが検出された場合である。従って、複製禁止の電子透かしが検出されたかどうかを判断するには電子透かしのＬＳＢが“１”であるかどうかを調べればよい。
【００６６】
もし、（ステップ２）で、電子透かしが複製禁止を示していれば、そのコンテンツは複製禁止であるから、複製禁止の制御信号を記録手段１０４へ送信する（ステップ７）。記録手段１０４は、圧縮、暗号化を停止し、それまでに圧縮暗号化したコンテンツを削除する。このとき、表示機能のある機器であれば使用者に電子透かしが複製禁止であったため、そのコンテンツを記録できない旨を表示する事も可能である。
【００６７】
一方、もし、（ステップ２）で複製禁止を示していなかった場合には、４５秒以降の任意の位置まで待つ（ステップ３）。そして、第２の電子透かし検出を行う（ステップ４）。
【００６８】
第２の電子透かし検出窓が終了すると、電子透かしが複製禁止を示しているかどうかを確認する（ステップ５）。（ステップ５）において複製禁止の電子透かしが検出されたかどうかの判断は、（ステップ２）と同様に、電子透かしのＬＳＢが“１”であるかどうかを調べることによって行う。
【００６９】
もし、（ステップ５）で電子透かしが複製禁止を示していれば、そのコンテンツは複製禁止であるから、複製禁止の制御信号を記録手段１０４へ送信する（ステップ７）。
【００７０】
もし、（ステップ５）で電子透かしが複製禁止を示していなかった場合には、そのコンテンツは、そのコンテンツには、複製自由、または、一世代複製可の電子透かしが埋め込まれていたか、電子透かしが埋め込まれいないか、のどれかである。したがって、複製許可の制御信号を記録手段１０４へ送信する（ステップ８）。記録手段１０４はコンテンツの最後まで圧縮、暗号化を継続する。
【００７１】
以上のように電子透かしによる複製制御に準拠しながらＳＤＭＩ保護コンテンツを記録する。
【００７２】
次に、再生について説明する。
【００７３】
ＳＤオーディオ再生も、記録と同様に、ＳＤＭＩ保護コンテンツと非ＳＤＭＩ保護コンテンツの２つに大別される。
【００７４】
ＳＤＭＩ保護コンテンツは、記録時に既に暗号などで著作権情報が保護されていたか、または、電子透かし検出を行って複製が許可されているコンテンツであるかどうかを確認した上でＳＤ暗号化されており、ＳＤＭＩ規格に準拠した著作権保護されている。したがってＳＤＭＩ保護コンテンツをＳＤオーディオ再生装置で再生する場合には、電子透かし検出することなく、そのまま再生できる。
【００７５】
一方、非ＳＤＭＩ保護コンテンツは、その素性を確認できない。複製制御情報に応じた著作権保護がされているという保証はない。このため、非ＳＤＭＩ保護コンテンツをＳＤオーディオ再生装置で再生する場合には、改めてコンテンツに埋め込まれた電子透かしに含まれる複製制御情報を調べる必要がある。非ＳＤＭＩ保護コンテンツを再生する場合の電子透かし検査は、本来コンテンツの記録時に行われているべきものを、再生時に実施するのであるから、ＳＤ記録の場合と同様に、再生コンテンツの複製制御情報が複製禁止であるかどうかだけを判別すればよく、一世代複製可、複製自由の区別をする必要はない。
【００７６】
再生時には、図１のコンテンツ切り替え手段１０２は再生コンテンツ出力端子側のコンテンツを選択するよう制御されているものとする。
【００７７】
再生の場合の手順も、図２に示すコンテンツの電子透かしに基づいて制御信号を送信するための手順と基本的に同様である。
【００７８】
まず、コンテンツ開始指示あると、開始から１５秒以内に第１の電子透かし検出窓が開始され、開始から３０秒以内で１回目の電子透かし検出が完了する（ステップ１）。電子透かし検出処理と同時に、再生手段１０５においてＳＤオーディオの暗号復号と伸張処理が行われており、再生コンテンツ出力端子１０６から出力されたコンテンツは直ちにアナログ信号に変換されてユーザに提供される。
【００７９】
第１の電子透かし検出窓が終了すると、電子透かしが複製禁止を示しているかどうかを確認する（ステップ２）。ここで、複製禁止の電子透かしが検出されたかどうかを判断するには、記録時の動作で説明したのと同様に電子透かしのＬＳＢが“１”であるかどうかを調べればよい。
【００８０】
もし、（ステップ２）で、電子透かしが複製禁止を示していれば、そのコンテンツはもともと複製禁止であったものを複製したものと見なし、複製禁止の制御信号を再生手段１０５へ送信する（ステップ７）。再生手段１０５は、復号、伸張を停止し、それにより、コンテンツの再生も停止する。このとき、表示機能のある機器であれば、使用者に電子透かしが複製禁止であったため再生できない旨を表示する事も可能である。
【００８１】
一方、もし、（ステップ２）で複製禁止を示していなかった場合には、４５秒以降の任意の位置まで待つ（ステップ３）。この間は再生が続けられる。そして、第２の電子透かし検出を行う（ステップ４）。
【００８２】
第２の電子透かし検出窓が終了すると、電子透かしが複製禁止を示しているかどうかを確認する（ステップ５）。ここで、複製禁止の電子透かしが検出されたかどうかを判断するには、記録時の動作で説明したのと同様に電子透かしのＬＳＢが“１”であるかどうかを調べればよい。
【００８３】
もし、（ステップ５）で電子透かしが複製禁止を示していれば、そのコンテンツは複製禁止であるから、複製禁止の制御信号を再生手段１０５へ送信する（ステップ７）。
【００８４】
もし、（ステップ５）で電子透かしが複製禁止を示していなかった場合には、そのコンテンツには、複製自由、または、一世代複製可の電子透かしが埋め込まれていたか、電子透かしが埋め込まれいないか、のどれかである。したがって、複製許可の制御信号を記録手段１０４へ送信する（ステップ８）。この制御に応じて、再生手段１０５はコンテンツの最後まで再生を継続する。
【００８５】
以上のようにして電子透かしによる複製制御に準拠しながら非ＳＤＭＩ保護コンテンツを再生する。
【００８６】
以上のように、実施の形態１の記録装置、再生装置は、複数の状態を示し得る電子透かしを重畳したコンテンツから予め指定された状態の電子透かしを検出するため、全ての状態すなわち全てのコピー制御の仕方の電子透かしを検出する場合に比べて簡単な処理で済み、処理量を削減できる効果を得られる。
【００８７】
なお、本実施の形態では、ＳＤオーディオのみの機器について述べたが、ＤＶＤとＳＤの商品としては複合機もあり得る。このような複合機の場合において、ＤＶＤを再生する場合には、第１の従来の技術で示したような複製制御情報の全ての状態すなわち全てのコピー制御の仕方の電子透かし検出が要求される。一方、ＳＤの場合には本実施の形態で説明したように、複製制御情報のうち複製禁止のみを検出すればよい。従って、このような複合機の場合には、メディアに応じて、予め指定された状態すなわち、予め指定された複製制御の仕方の電子透かしだけを検出するか、または、全ての状態すなわち全ての複製制御の仕方の電子透かしを検出するかを切り替えられるのが便利である。
【００８８】
また、本実施の形態では、電子透かしのＬＳＢが“１”かどうかに着目して複製禁止の電子透かしの検出の有無を判断する例を示したが、本発明はこの方法に限定されるものではない。たとえば、電子透かし検出フラグや電子透かしのＭＳＢの処理部分を省略して本発明を実施することも考えられる。この場合にも本発明の処理がそのまま適用できることは言うまでもない。
【００８９】
また、それぞれの状態の電子透かしを、予め指定された状態（複製禁止）の電子透かしだけを検出するモードか、または、全部の状態の電子透かしを検出するモードかを変えて検出を行った場合の検出状況を図３に示す。
【００９０】
図３において、検出モードが複製禁止のみとして示されているモードは、埋め込まれた電子透かしがない場合、複製自由の場合、一世代複製可の場合、複製禁止の場合の４つの場合のうち、埋め込まれた電子透かしが複製禁止かそうでないかのみを検出するモードである。これに対して、検出モードが全部として示されているモードは、埋め込まれた電子透かしがない場合、複製自由の場合、一世代複製可の場合、複製禁止の場合の４つの場合のうち、全ての場合を検出するモードである。また、１回目の検出結果は、図９及び図２で第１の電子透かし検出により埋め込まれた電子透かしが検出された結果を示し、２回目の検出結果は、図９及び図２で第２の電子透かし検出により埋め込まれた電子透かしが検出された結果を示すものである。
【００９１】
どちらのモードの場合も、最終的な複製禁止可否は、「複製禁止」の電子透かしが埋め込まれている場合だけ否になり、モードによって変わらない。しかし、「複製自由」と「一世代複製可」の電子透かしが埋め込まれている場合には、複製禁止だけを検出するモードでは２回検出を行って両方とも未検出となるが、全てを検出するモードでは１回目の検出で埋め込まれている電子透かしが検出され、複製可否が確定する。このことに着目すると、ＣＤなどの一般的に電子透かしが埋め込まれている可能性の低いコンテンツの場合には、複製禁止だけを検出するモードにする制御を行うことが効率的である。また、ＤＶＤオーディオをアナログで記録する場合等ではコンテンツに電子透かしが埋め込まれている可能性が高い。このような場合には、全てを検出するモードにするという制御を行うことにより、コンテンツの複製制御情報が一世代複製可や複製自由の場合には、埋め込まれた電子透かしを一回だけ検出するだけでよいので、電子透かしを検出する処理量が少なくて済む。
【００９２】
また、ＤＶＤオーディオをＳＤ記録で高倍速記録をしたい場合には、複製禁止だけを検出するモードにして電子透かし検出による負荷を低減し、処理速度を早くし、非ＳＤＭＩ保護コンテンツのＳＤ再生の場合には、高倍速記録の場合のように高速処理が要求されないので、全ての電子透かしを検出するモードにして電子透かしの検出回数を減らす、というような制御を行ってもよい。
【００９３】
また、本実施の形態では、複製制御情報が複製禁止、一世代のみ複製可、複製自由の３種類の複製制御の仕方を示すとして説明したがこれに限らない。複製制御情報が５種類や４種類などの複製制御の仕方を示すものであっても構わない。例えば複製制御情報が複製禁止、一世代のみ複製可、複製自由、これ以上複製禁止の４種類の複製制御の仕方を示すような場合がある。ここで複製禁止、一世代のみ複製可、複製自由は上記で説明したものと同様の意味である。また、これ以上複製禁止は一世代のみ複製可のコンテンツが一度複製された後にその複製が再生された場合に示すコピー制御の仕方であり、これ以上複製することは禁止することを意味している。このようなコピー制御情報を有する非ＳＤＭＩ保護コンテンツをＳＤオーディオ記録する場合には、電子透かしとして複製禁止とこれ以上複製禁止の２種類の複製制御の仕方を検出すればよい。一般に、複製制御情報の複製制御の仕方がｎ（ｎは１以上の整数）種類存在する場合にも、そのような非ＳＤＭＩ保護コンテンツを記録する場合には、ｎ種類の複製制御の仕方から所定の一部の複製制御情報を検出することにより本実施の形態と同様の効果を得ることが出来る。また、非ＳＤＭＩ保護コンテンツの再生する場合も記録する場合と同様である。
【００９４】
また、本実施の形態では、ＳＤＭＩ制御方式に準拠したＳＤ装置で記録されたＳＤＭＩ保護コンテンツとＳＤＭＩ保護コンテンツ以外のコンテンツである非ＳＤＭＩ保護コンテンツについて記録または再生する場合について説明したが、ＳＤＭＩ制御方式以外の他の制御方式に準拠したコンテンツとその他の制御方式に準拠したコンテンツ以外のコンテンツについて記録または再生する場合についても同様である。
【００９５】
このように、本実施の形態によれば本発明の記録装置、再生装置は、複数の状態を示し得る電子透かしを重畳したコンテンツから予め指定された状態の電子透かしだけを検出する電子透かし検出手段と、前記電子透かし検出手段の検出結果に応じて前記コンテンツを記録する記録手段、または、再生する再生手段を備え、複数の状態を示し得る電子透かしを重畳したコンテンツから予め指定された状態の電子透かしを検出するため、全ての状態の電子透かしを検出する場合に比べて簡単な処理で済み、処理量を削減できるという効果が得られる。
【００９６】
（実施の形態２）
図４は、本発明の実施の形態２における、コンテンツに電子透かし技術を用いて情報を付加する情報付加装置２００の構成を示すブロック図である。
【００９７】
図４で、２０１はコンテンツに第１の情報群を電子透かしとして埋め込む第１の電子透かし埋込手段であり、２０２は前記第１の電子透かし埋込手段２０１の出力に第２の情報群を電子透かしとして埋め込む第２の電子透かし埋込手段であり、２０３は第２の電子透かし埋め込み手段２０２の出力を圧縮する圧縮手段であり、２０４は圧縮されたコンテンツを暗号化する第１の暗号化手段である。第１の電子透かし埋込手段２０１から第１の暗号化手段２０４で情報付加装置２００が構成される。２１０は情報付加装置２００で処理されたコンテンツを格納する媒体である。媒体２１０は、たとえば光ディスク、磁気ディスク、光磁気ディスク、磁気テープ、半導体記憶装置、光伝送路、電気伝送路、赤外線伝送路、電波伝送路などが考えられるが、コンテンツを媒介できるものであれば、これらに限定されるものではない。また、データの形式はディジタル、アナログどちらでも構わない。
【００９８】
図５は、本発明の実施の形態２における再生装置２２０および記録装置２３０の構成を示すブロック図である。
【００９９】
図５で、２２１は媒体２１０から読み出されたコンテンツの暗号を復号する第１の復号手段であり、２２２は復号された圧縮コンテンツを伸張する伸張手段であり、２２３は伸張されたコンテンツから第１の電子透かしを検出する第１の電子透かし検出手段であり、２２４は前記伸張されたコンテンツをアナログ信号に変換するＤＡ変換手段であり、２２５は前記伸張されたコンテンツまたは前記復号された圧縮コンテンツを第１の復号手段２２１が検出した著作権情報に応じて暗号化する第２の暗号化手段であり、２２６は伸張手段２２２の出力、ＤＡ変換手段２２４の出力、第２の暗号化手段２２５出力を第１の電子透かし検出手段２２３が検出した第１の情報群に従って出力制御する出力制御手段である。伸張手段２２２の出力、ＤＡ変換手段２２４の出力、第２の暗号化手段２２５出力は出力制御手段２２６を介して、それぞれアナログ、ＩＥＣ６０９５８、ＩＥＥＥ１３９４に出力される。第１の復号化手段２２１から出力制御手段２２６までで再生装置２２０が構成される。
【０１００】
図５で、２３１は再生装置２２０のアナログ出力をディジタル信号に変換するＡＤ変換手段であり、２３２は再生装置２２０のＩＥＥＥ１３９４出力の暗号を復号する第２の復号手段であり、２３３は第２の復号手段２３２が出力する圧縮コンテンツを伸張する伸張手段であり、２３４はAD変換手段２３１の出力、再生装置２２０のＩＥＣ６０９５８出力、伸張手段２３３の出力から第２の電子透かしを検出する第２の電子透かし検出手段であり、２３５はＡD変換手段２３１の出力、再生装置２２０のＩＥＣ６０９５８出力を圧縮する圧縮手段であり、２３６は圧縮手段２３５の出力、第２の復号手段２３２出力を暗号化する第３の暗号化手段であり、２３７は前記第２の電子透かし検出手段２３４が検出した第２の情報群に従ってコンテンツの記録を制御する記録制御手段である。ＡＤ変換手段２３１から記録制御手段２３７までで記録装置２３０が構成される。２４０は記録装置２３０がコンテンツを記録する記録媒体である。
【０１０１】
以上のように構成された実施の形態２について、その動作を説明する。
【０１０２】
まず、図４の情報付加装置２００の動作について説明する。情報付加装置２００に入力するコンテンツの形式は特に限定する必要はないが、一例として、ここではリニアＰＣＭのディジタルオーディオ信号とする。第１の電子透かし埋込手段２０１、第２の電子透かし埋込手段２０２で用いる、リニアＰＣＭディジタルオーディオ信号に適用できる電子透かしとしては、たとえば技術背景で説明した非特許文献１で開示されている電子透かしを用いることができる。
【０１０３】
第１の電子透かし埋込手段２０１で埋め込む第１の情報群と、第２の電子透かし埋め込み手段２０２で埋め込む第２の情報群とについて説明する。第１の情報群は、主に再生時に参照される情報であり、一例としては、使用可否情報を含むものとする。第２の情報群は主に記録時に参照される情報であり、一例としては、使用可否情報、記録可否情報、記録世代情報、使用規則のうち少なくとも一つを含むものとする。
【０１０４】
使用可否情報は、この情報を含む電子透かしが検出された場合、記録再生を一切禁止することを示すものである。記録可否情報は、記録の可否を示すもので、記録禁止または記録可を示す。記録世代情報は記録の世代を表す情報で、たとえばコンテンツ所有者から直接発行されたコンテンツではオリジナルであることを示し、オリジナルを１回複製した場合、１回複製したことを示す情報となる。複数のビットを用いて世代数を示すことも可能である。また、記録可否情報と組み合わせて、たとえば、記録可否情報が記録可、かつ、記録世代情報がオリジナルの時は記録してよいが、記録可否情報が記録可、かつ、記録世代情報が１回記録したことを示す場合は、これ以上の世代の記録は禁止するなどの運用が可能である。使用規則はコンテンツの使用規則を示すもので、たとえば、「恒久的な複製は禁止であるが、タイムシフト視聴の目的のために機器外に取り出せない方法（たとえば、機器識別情報を用いて機器に結びつけられた暗号記録方式）によって所定の時間（たとえば１日）に限り蓄積してよい」、とか、「何世代記録してもよいが、暗号記録し、許可されていない機器に出力してはならない」、とかいった規則を示す。また、コンテンツの識別情報と複製許可回数を組み合わせて、１台の機器で作ってよい複製数管理を行うこともできる。
【０１０５】
第１の電子透かし埋め込み手段２０１、第２の電子透かし埋め込み手段２０３で電子透かしを埋め込まれたコンテンツは圧縮手段２０３で圧縮される。圧縮方法は、MPEG、ドルビーデジタルなど、そのコンテンツが媒介される媒体によって決まる。圧縮されたコンテンツは、さらに第１の暗号化手段２０４で暗号化される。暗号化の方法も、ＤＴＣＰ（Digital Transmission Content Protection  ＩＥＥＥ１３９４バス、USBなどの伝送路用に開発されたコンテンツ保護方式）、ＣＰＰＭ（Content Protection for Prerecorded Media  ＤＶＤオーディオなどで使用されているコンテンツ保護方式）など、そのコンテンツが媒介される媒体によって決まる。
【０１０６】
このとき、電子透かしとは別に複製制御情報、使用方法情報などの著作権保護情報をコンテンツに付加してもよい。これらの著作権保護情報はコンテンツとともに暗号化されており改竄できないか、暗号化されていない場合でも万一改竄されたとき改竄されたことが検出できる改竄チェック処理が施される。付加される著作権保護情報としては、複製制御情報（複製自由、１世代複製可、これ以上複製禁止、複製禁止などを示す）や使用規則（何世代記録してもよいが、暗号記録し、許可されていない機器に出力してはならない）などがある。たとえば、ＩＥＥＥ１３９４上をＤＴＣＰで伝送するのであれば、複製制御情報をＩＥＥＥ１３９４のアイソクロナスパケットヘッダに組み込むことができる。
【０１０７】
このようにして、情報付加装置２００は、入力コンテンツに第１の情報群、第２の情報群を電子透かしとして埋め込み、圧縮暗号化して媒体２１０へ出力する。
【０１０８】
次に、図５の再生装置２２０の動作について説明する。
【０１０９】
再生装置２２０では、媒体２１０に格納されたコンテンツを取り出す。コンテンツは、第１の復号手段２２１により、所定の鍵情報などに基づいて暗号を復号される。このとき電子透かしとは別にコンテンツとともに暗号化されて付加されている著作権情報があれば取り出される。そしてコンテンツがMPEG形式などで圧縮されている場合には、伸張手段２２２により伸張処理されてリニアＰＣＭ形式に戻される。リニアＰＣＭ形式のコンテンツはＤＡ変換手段２２４によってアナログ信号に変換される。
【０１１０】
また、リニアＰＣＭ形式のコンテンツは第１の電子透かし検出手段２２３において、電子透かしを検出され、電子透かしとして埋め込まれていた第１の情報群が取り出される。
【０１１１】
第２の暗号化手段２２５において、伸張手段２２２が出力したリニアPCM形式のコンテンツ、または、第１の復号手段２２１が暗号復号した圧縮コンテンツは、電子透かしと別に暗号化されて付加されていた著作権情報などに従って暗号化される。たとえば、コンテンツを再生装置２２０からＩＥＥＥ１３９４のアイソクロナスストリームで出力する場合、著作権情報に含まれる複製制御情報が１世代複製可、これ以上複製禁止、または複製禁止を示すならば暗号化される。また、使用規則が「何世代記録してもよいが、暗号記録し、許可されていない機器に出力してはならない」の場合にも暗号される。暗号化の方法は、ＤＴＣＰなど、そのコンテンツが媒介される媒体によって決まる。このとき、当該著作権情報もコンテンツに関連づけられる。
【０１１２】
ＤＡ変換手段２２４から出力されたアナログコンテンツ、伸張手段２２２から出力されたリニアＰＣＭコンテンツ、第２の暗号化手段２２５から出力された暗号化コンテンツは出力制御手段２２６に送られる。また出力制御手段２２６には第１の電子透かし検出手段２２３で検出された第１の情報群も送られる。第１の情報群には当該コンテンツの使用可否情報が含まれている。第１の情報群に含まれた使用可否情報が使用可を示している場合には、出力制御手段２２６は、当該コンテンツをＩＥＥＥ１３９４のアイソクロナスストリーム、ＩＥＣ６０９５８形式のディジタルオーディオ信号、アナログオーディオ信号など所定の形式で出力する。ＩＥＥＥ１３９４のアイソクロナスストリーム、ＩＥＣ６０９５８形式のディジタルオーディオ信号はコンテンツに付属して著作権保護情報をディジタルデータとして伝送できる。これに対して、アナログ出力は著作権情報を付属して送ることはできない。しかし、電子透かしとしてコンテンツに埋め込まれている第１の情報群、第２の情報群はどのような形式でコンテンツを出力してもコンテンツに埋め込まれたまま伝送される。
【０１１３】
一方、第１の情報群に含まれる使用可否情報が使用否を示している場合には、出力制御手段２２６は当該コンテンツの出力を停止する。媒体２１０がディスクメディアやテープメディアである場合には、媒体の駆動自体を停止してもよい。また、再生装置２２０が液晶表示装置、ＦＬ表示装置などの表示手段（図示せず）を備えている場合には、表示手段に当該コンテンツが使用禁止である旨の表示を行ってもよい。
【０１１４】
以上のように再生装置２２０では媒体２１０に格納されたコンテンツが第１の電子透かし検出手段２２３によって検出された第１の情報群に従って再生制御される。
【０１１５】
次に、図５の記録装置２３０の動作について説明する。
【０１１６】
記録装置２３０では、再生装置２２０で再生された第１の情報群および第２の情報群が電子透かしとして埋め込まれたコンテンツを入力する。本実施の形態２では再生装置２２０からＩＥＥＥ１３９４のアイソクロナスストリーム、ＩＥＣ６０９５８形式のディジタルオーディオ信号、アナログオーディオ信号の３形式で出力し、記録装置２３０でもこれら３形式で入力できるものとする。
【０１１７】
アナログオーディオ信号はＡＤ変換手段２３１でディジタル信号（リニアPCM）に変換される。ＩＥＥＥ１３９４のアイソクロナスストリームは、ＤＴＣＰにより暗号化されていれば、第２の復号手段２３２で暗号を復号する。さらに復号コンテンツが圧縮されている場合には、伸張手段２３３でリニアPCMに伸張される。
【０１１８】
ＡＤ変換手段２３１の出力、ＩＥＣ６０９５８形式のディジタルオーディオ信号、および伸張手段２３３出力の３系統のリニアＰＣＭ信号は第２の電子透かし検出手段２３４に入力され、電子透かしとして埋め込まれている第２の情報群を検出される。
【０１１９】
また、ＡＤ変換手段２３１の出力、およびＩＥＣ６０９５８形式のディジタルオーディオ信号の２系統のリニアＰＣＭ信号は圧縮手段２３５で記録媒体２４０の記録方式に合わせて圧縮される。
【０１２０】
圧縮手段２３５出力と、第２の復号手段２３２出力とは第３の暗号化手段２３６に入力され、電子透かしと別に暗号化されて付加されていた著作権情報などに従って暗号化される。たとえば、コンテンツを記録装置２３０において記録媒体２４０としてＤＶＤ−ＲＡＭに記録する場合、著作権情報に含まれる複製制御情報が１世代複製可を示すならば暗号化される。また、使用規則が「何世代記録してもよいが、暗号記録し、許可されていない機器に出力してはならない」の場合にも暗号される。暗号化の方法は、ＣＰＲＭ（Content Protection for Recordable Media ＤＶＤ−ＲＡＭ，ＲＷ，Ｒにビデオレコーディングフォーマットで記録する場合の著作権保護方式）など、そのコンテンツが記録される媒体によって決まる。このとき、当該著作権情報もコンテンツに関連づけられる。
【０１２１】
第３の暗号化手段２３６から出力された暗号化コンテンツは記録制御手段２３７に送られる。また記録制御手段２３７には第２の電子透かし検出手段２３４で検出された第２の情報群も送られる。第２の情報群には当該コンテンツの使用可否情報、記録可否情報などが含まれている。第２の情報群に含まれた使用可否情報が使用可を示し、記録可否情報が記録可を示している場合には、記録制御手段２３７は、当該コンテンツを所定の形式で記録媒体２４０に記録する。このとき、電子透かしと別にコンテンツに付加されていた著作権情報も記録フォーマットに対応する記録場所が定められている場合には記録される。電子透かしとしてコンテンツに埋め込まれている第１の情報群、第２の情報群はコンテンツをどのような形式で記録してもコンテンツに埋め込まれたままであるのは言うまでもない。
【０１２２】
一方、第２の情報群に含まれる使用可否情報が使用否を示している場合や記録可否情報が記録否を示している場合には、記録制御手段２３７は当該コンテンツの記録を停止する。また、記録装置２３０が液晶表示装置、ＦＬ表示装置などの表示手段（図示せず）を備えている場合には、表示手段に当該コンテンツが記録禁止である旨の表示を行ってもよい。
【０１２３】
以上のように記録装置２３０では第２の電子透かし検出手段２３４によって検出された第２の情報群に従って記録媒体２４０に対して記録制御される。
【０１２４】
以上のように、実施の形態２における記録方法、再生装置、記録装置では、主として再生時に参照する第１の情報群を第１の電子透かしとして、主として記録時に参照する第２の情報群を第２の電子透かしとして、コンテンツに埋め込み、再生装置においては第１の電子透かし検出手段によって第１の情報群だけを検出して再生制御を行い、記録装置においては第２の電子透かし検出手段によって第２の情報群だけを検出して記録制御を行うことにより、それぞれの制御に必要な電子透かしだけを検出するので、電子透かしとして埋め込まれた全ての情報を検出して制御する場合に比べて簡易な処理で記録、再生制御が実施できる効果を得られる。
【０１２５】
なお、実施の形態２では第１の電子透かしと第２の電子透かしは、別の方式を使う例について述べたが、同じ方式でパラメータを変えた２つの電子透かしを用いてもよい。たとえば、雑音重畳型の電子透かしの場合、雑音の帯域によって第１の電子透かしと第２の電子透かしを区別してもよい。
【０１２６】
また、本実施の形態２では２種類の電子透かしを用いたが、３種類以上の電子透かしを用いてもよい。この場合、主として再生のみに関わる情報を第１の情報群として第１の電子透かしで埋め込み、記録のみに関わる情報を第２の情報群として第２の電子透かしとして埋め込み、再生と記録両方に関わる情報を第３の情報群として第３の電子透かしとして埋め込むといった適用方法が考えられる。
【産業上の利用可能性】
【０１２７】
本発明にかかる記録装置、再生装置は、複数の状態を示し得る電子透かしを重畳したコンテンツから予め指定された状態の電子透かしだけを検出することによって、全ての状態の電子透かしを検出する場合に比べて簡単な処理で済ませる用途にも適用できる。
【０１２８】
また、本発明にかかる記録方法、記録装置、再生装置は、主として再生時に参照する第１の情報群を第１の電子透かしとして、主として記録時に参照する第２の情報群を第２の電子透かしとして、コンテンツに埋め込み、再生装置においては第１の電子透かし検出手段によって第１の情報群だけを検出して再生制御を行い、記録装置においては第２の電子透かし検出手段によって第２の情報群だけを検出して記録制御を行うことによって、電子透かしとして埋め込まれた全ての情報を検出して制御する場合に比べて簡易な処理で記録、再生制御を実施する用途にも適用できる。
【図面の簡単な説明】
【０１２９】
【図１】本発明の実施の形態１における記録再生装置の構成を示すブロック図
【図２】本発明の実施の形態１における記録再生装置の、コンテンツの電子透かしに基づいて制御信号を送信するための手順を示すフローチャート
【図３】本発明の実施の形態１における予め指定された状態の電子透かしだけを検出するモードか、または、全部の状態の電子透かしを検出するモードか変えて検出を行った場合の検出状況を示す図
【図４】本発明の実施の形態２におけるコンテンツに電子透かし技術を用いて情報を付加する情報付加装置２００の構成を示すブロック図
【図５】本発明の実施の形態２における再生装置２２０および記録装置２３０の構成を示すブロック図
【図６】従来の複製制御方法を使用した光ディスクプレーヤのブロック図
【図７】複製制御管理情報とプレーヤ再生制御との関係を示す図
【図８】従来の複製制御方法を使用した光ディスクプレーヤ再生時の複製制御フローチャート
【図９】第２の従来技術における電子透かしの検出タイミングを示す図
【図１０】第２の従来技術における電子透かしを利用した記録装置のブロック図
【図１１】第２の従来技術におけるコンテンツの電子透かしに基づいて制御信号を送信するための手順を示すフローチャート
【符号の説明】
【０１３０】
１０１    記録コンテンツ入力端子
１０２    コンテンツ切り替え手段
１０３    電子透かし検出手段
１０４    記録手段
１０５    再生手段
１０６    再生コンテンツ出力端子
２００    情報付加装置
２０１    第１の電子透かし埋込
２０１    第２の電子透かし埋込手段
２０３    圧縮手段
２０４    暗号化手段
２１０    媒体
２２０    再生装置
２２１    第１の復号手段
２２２    伸張手段
２２３    第１の電子透かし検出手段
２２４    ＤＡ変換手段
２２５    第２の暗号化手段
２２６    出力制御手段
２３０    記録装置
２３１    ＡＤ変換手段
２３２    第２の復号手段
２３３    伸張手段
２３４    第２の電子透かし検出手段
２３５    圧縮手段
２３６    第３の暗号化手段
２３７    記録制御手段
２４０    記録媒体
【図１】
2005166185.tif 000003
【図２】
2005166185.tif 000004
【図３】
2005166185.tif 000005
【図４】
2005166185.tif 000006
【図５】
2005166185.tif 000007
【図６】
2005166185.tif 000008
【図７】
2005166185.tif 000009
【図８】
2005166185.tif 000010
【図９】
2005166185.tif 000011
【図１０】
2005166185.tif 000012
【図１１】
2005166185.tif 000013